(57)【要約】【課題】  読取り駆動系（読取り上流（入口）搬送ローラと読取り下流（出口）搬送ローラ）の上流側の駆動系にクラッチなどの伝達制御部材を備えた構成にすることにより、先行する読取り原稿の読取り位置通過を待たずに読取り直前の停止したローラに原稿先端を突き当てることができ、スキュー品質の向上と生産性向上、及び機械の大型化・コストアップを押さえた自動原稿給紙装置を提供する。【解決手段】  シート原稿を搬送させながら画像を読み取る方式の自動原稿給紙装置において、読取り位置直前の搬送ローラ対１６に、その駆動伝達を制御可能な伝達制御部材４７を設け、これにより先行する読取り中の原稿後端が読取り位置直前の前記搬送ローラ対１６を通過した時点でその駆動元を絶ち、停止状態の読取り位置直前の前記搬送ローラ対１６に次原稿を突き当てこの次原稿の搬送・突き当てスキュー補正を行う。  【選択図】        図１６
2006188339.tif 000002
【特許請求の範囲】
【請求項１】
シート原稿を読取り部に沿って搬送させながら画像を読み取る方式の自動原稿給紙装置であって、該読取り部の直前に配置された搬送ローラ対と、該搬送ローラ対を駆動する読取りモータと、制御部と、前記原稿を搬送ローラ対に向けて搬送する給紙手段を駆動する給紙モータと、を備えたものにおいて、
前記読取りモータから前記搬送ローラ対に対する駆動力の伝達をオンオフ制御可能な伝達制御部材を設け、
前記制御部は、前記読取り部にて読取り中の先行原稿の後端が前記搬送ローラ対を通過した時点で前記伝達制御部材をオフして前記搬送ローラ対を停止させ、次いで前記給紙モータを駆動して停止状態にある前記搬送ローラ対に次原稿先端を突き当てこの次原稿のスキュー補正を行うことを特徴とする自動原稿給紙装置。
【請求項２】
前記制御部は、前記先行原稿後端が前記読取り部を通過した時点で前記伝達制御部材をオンして、スキュー補正が完了した前記次原稿の搬送を開始することを特徴とする請求項１記載の自動原稿給紙装置。
【請求項３】
前記制御部は、停止状態にある前記搬送ローラ対に前記次原稿先端を突き当てスキュー補正が完了した直後に、即座に前記伝達制御部材をオンして前記搬送ローラ対により前記次原稿を搬送開始することを特徴とする請求項１記載の自動原稿給紙装置。
【請求項４】
前記制御部は、前記先行原稿の移動量を計測し所定の時間及び距離を搬送後、前記伝達制御部材をオンして前記搬送ローラ対の駆動を伝達状態にし、前記次原稿を搬送することを特徴とする請求項１記載の自動原稿給紙装置。
【請求項５】
前記伝達制御部材として、前記伝達制御部材への通電状態によって駆動伝達を禁止し、非通電状態で駆動伝達を実現する伝達制御部材を使用することを特徴とする請求項１乃至４のいずれか一項記載の自動原稿給紙装置。
【請求項６】
請求項１乃至５の何れか一項に記載の自動原稿給紙装置を備えたことを特徴とする画像形成装置。
【発明の詳細な説明】
【技術分野】
【０００１】
本発明は、シート原稿搬送中に画像を読み取るシートスルータイプの自動原稿給紙装置（以下ＡＤＦ）の改良に関し、特に複写機、ファクシミリ等の画像形成装置に装備されて生産性の向上を図ることができるＡＤＦに関する。
【背景技術】
【０００２】
複写機、プリンタ、ファクシミリ等の画像形成装置や、画像読取り装置に装備されて読取り部に原稿を搬送する原稿給紙装置には種々のタイプがあるが、セットされた原稿を呼出しコロ（ピックアップコロ）等の呼出し手段により呼び出し、これを搬送方向下流に配置した分離ベルトと、リバースコロにより１枚毎に分離して搬送するようにした原稿給紙装置が知られている（例えば、特許文献１乃至３参照）。
特許文献１では、本体制御部からの読取り開始信号を検出する前に原稿を給紙し（次原稿先出し）、その原稿が読取り位置に達する前に当該原稿についての読取り開始信号を検出しない場合はその原稿を読取り位置の上流で停止させ、前記信号を検出した場合にはその原稿を読取り位置上流で停止させずに読取り位置への搬送を継続することにより一時停止による搬送ロス（レジストロス）を低減する技術が開示されている。しかし、先行原稿の読取りが行われているため、読取り位置直前のローラを停止させることができず、スキュー補正の突き当て制御を行うためには、先行原稿後端が読取り位置を通過してから読取り駆動を停止して次原稿先端をローラに突き当てる制御が必須である。しかし、これでは原稿間隔が広くなり、生産性が思うように上がらない不具合がある。
また、生産性を上げるために原稿の一旦停止を行わず読取りを連続で行うモードにおいては、原稿間隔が詰められ、生産性は上がるが、突き当てのスキュー補正ができず、画像品質が上がらないといった問題がある。
送り込む原稿の速度と受け入れるローラの速度に差をつけ、その速度差で原稿たわみを作り、スキュー補正を行う目的のものもあるが、実際には大きな補正効果が得られないといった問題もある。
【０００３】
従来、原稿を読取り位置に搬送中にその画像を読み込む方式の生産性を上げる手段として、読取り中の原稿後端と次原稿の先端がぶつからないタイミングで次原稿の給紙動作を開始し、機内に送り込むことで原稿間隔を詰め、生産性の向上を狙ってきた。
また、原稿テーブルにセットされた原稿束を１枚に分離した直後に停止しているローラへ原稿先端を突き当て、先端の揃えを行うスキュー補正機構を備えたＡＤＦが一般的である。
しかしながら、従来のようにレジスト位置に一旦停止させ本体からの読取り開始信号を待って読取りを開始するタイプ（特許文献１）などでは、読取り位置前後の各搬送ローラが同一の駆動ルートで駆動されるため、先行原稿の後端位置までの読取り完了を待って読取り駆動系を停止し、次原稿のレジスト停止を行う必要がある。
また、分離直後にスキュー補正された原稿は、その後の搬送中のローラ圧バランスなどにより読取り位置に先端が到達する頃には再びスキュー状態となっている場合があり、読取り位置の直前のローラ対にも原稿先端を突き当てた方がよりスキュー補正の効果が高くなることが検証されている。
本出願人による未公開の出願明細書中には、読取り直前のローラ駆動を別駆動にするＡＤＦが記載されているが、独立したモータを機械に組み込むことでコストアップや機械の大型化が懸念される。
複写機、プリンタ、ファクシミリ等の画像形成装置における、読取り原稿を搬送する原稿給紙装置には種々のタイプがあるが、従来、読取り位置を搬送中にその画像を読み込む方式の生産性を上げる手段として、読取り中の原稿後端と次原稿の先端がぶつからないタイミングで、次原稿の給紙動作を開始し、機内に送り込むことで原稿間隔を詰め、生産性の向上を狙ってきた。
【特許文献１】特開２００２−２９８４公報
【特許文献２】特開２００１−１６０８８７公報
【特許文献３】特開２００２−１２０９５６公報
【発明の開示】
【発明が解決しようとする課題】
【０００４】
しかしながら、画像品質を向上させるためには、先行する原稿の後端部が読取り位置を抜けた時点で読取り駆動を停止し、その停止と同時に分離・給送された次原稿が読取り位置上流の停止したローラに突き当たり停止するという動作が必要となる。このとき、生産性の良否を示す原稿通紙間隔は、読取り位置上流のローラと読取り位置の搬送距離分だけ開いていることとなり、従来よりも生産性は落ちてしまうこととなる。
また、特許文献２記載の技術では、レジスト停止をすることなくそのまま読取りを行う。この方法であれば、生産性は極限まで向上させることができるが、スキュー補正を行えないため画像品質は低下してしまう。また、レジスト位置に停止させないで読取り動作を行うために、読取り開始信号を先に貰って保留させ、保留の要求がある場合にはそのままスルーで読取りを行うような制御が必要となり、制御複雑化による不具合の発生も多くなる。読取りを行う原稿に対してはレジスト停止中にその原稿にのみ読取り開始要求を出す方が、管理がし易くて不具合の発生も無い。
そこで、本発明の目的は、上述した実情を考慮して、読取り駆動系（読取り上流（入口）搬送ローラと読取り下流（出口）搬送ローラ）の上流側の駆動系にクラッチなどの伝達制御部材を備えた構成にすることにより、先行する読取り原稿の読取り位置通過を待たずに読取り直前の停止したローラに原稿先端を突き当てることができ、スキュー品質の向上と生産性向上、及び機械の大型化・コストアップを押さえたＡＤＦを提供することにある。
【課題を解決するための手段】
【０００５】
上記の課題を解決するために、請求項１に記載の発明は、シート原稿を読取り部に沿って搬送させながら画像を読み取る方式のＡＤＦであって、該読取り部の直前に配置された搬送ローラ対と、該搬送ローラ対を駆動する読取りモータと、制御部と、前記原稿を搬送ローラ対に向けて搬送する給紙手段を駆動する給紙モータと、を備えたものにおいて、前記読取りモータから前記搬送ローラ対に対する駆動力の伝達をオンオフ制御可能な伝達制御部材を設け、前記制御部は、前記読取り部にて読取り中の先行原稿の後端が前記搬送ローラ対を通過した時点で前記伝達制御部材をオフして前記搬送ローラ対を停止させ、次いで前記給紙モータを駆動して停止状態にある前記搬送ローラ対に次原稿先端を突き当てこの次原稿のスキュー補正を行うことを特徴とする。
請求項２の発明は、請求項１において、前記制御部は、前記先行原稿後端が前記読取り部を通過した時点で前記伝達制御部材をオンして、スキュー補正が完了した前記次原稿の搬送を開始することを特徴とする。
請求項３の発明は、請求項１において、前記制御部は、停止状態にある前記搬送ローラ対に前記次原稿先端を突き当てスキュー補正が完了した直後に、即座に前記伝達制御部材をオンして前記搬送ローラ対により前記次原稿を搬送開始することを特徴とする。
請求項４の発明は、請求項１において、前記制御部は、前記先行原稿の移動量を計測し所定の時間及び距離を搬送後、前記伝達制御部材をオンして前記搬送ローラ対の駆動を伝達状態にし、前記次原稿を搬送することを特徴とする。
請求項５の発明は、請求項１乃至４の何れか一項において、前記伝達制御部材として、前記伝達制御部材への通電状態によって駆動伝達を禁止し、非通電状態で駆動伝達を実現する伝達制御部材を使用することを特徴とする。
請求項６の発明は、請求項１乃至５の何れか一項に記載のＡＤＦを備えたことを特徴とする。
【発明の効果】
【０００６】
本発明によれば、読取り位置の上流近傍にある駆動ローラにクラッチなどの駆動伝達制御部材を具備させることで、原稿の読取り中に読取り位置の上流近傍にある駆動ローラ（搬送ローラ対）のみを回転停止させることが可能となり、回転停止したローラに次原稿先端を突き当て先端の整合を行いスキューの補正を行うことができる。
また、伝達制御部材の再伝達タイミングを制御することにより、次原稿先端と先行原稿後端との原稿距離が詰められ、結果的に読取り間隔が短縮することになるため生産性を向上させることが可能となる。
さらに、機械を大型化させる必要がなくコストアップ分も最小限に押さえられる、画像品質（スキュー品質）の向上と生産性の向上を同時に行うことができるＡＤＦを提供することができる。
本発明によれば、現状のギヤ部にクラッチなどの伝達制御部材を用いることにより同性能を確立することができ、かつ機械の大型化・大幅なコストアップをすることもない利点を有する。
【発明を実施するための最良の形態】
【０００７】
以下、図面を参照して、本発明の実施の形態を詳細に説明する。本実施の形態は、被読取り原稿を固定の読取り装置部に搬送し所定の速度で搬送しながら画像読取りを行うシートスルー方式の読取り装置に用いられる、被読取り原稿処理装置、すなわち、ＡＤＦに関するものである。
図１は本発明のＡＤＦの基本的な構成を示す概略断面図である。図２は本発明のＡＤＦの電装（制御回路構成）ブロック図である。図３はＡＤＦ内で給送された両面原稿時の２枚の原稿の第１の位置を説明する概略図である。
図４はＡＤＦ内で給送された２枚の原稿の第２の位置を説明する概略図である。図５はＡＤＦ内で給送された２枚の原稿の第３の位置を説明する概略図である。図６はＡＤＦ内で給送された２枚の原稿の第４の位置を説明する概略図である。
図７はＡＤＦ内で給送された２枚の原稿の第５の位置を説明する概略図である。図８はＡＤＦ内で給送された２枚の原稿の第６の位置を説明する概略図である。図９はＡＤＦ内で給送された２枚の原稿の第７の位置を説明する概略図である。図１０はＡＤＦ内で給送された２枚の原稿の第８の位置を説明する概略図である。図１１はＡＤＦ内で給送された２枚の原稿の第９の位置を説明する概略図である。図１２は本発明によるＡＤＦの給紙駆動系を説明する概略斜視図である。
【０００８】
図１乃至図１２を参照して、本発明について説明する。本実施の形態のＡＤＦは、大別すると、被読取り原稿束をセットする原稿セット部Ａと、原稿セット部Ａにセットされた両面原稿束から１枚毎に原稿を分離して給送する分離給送部Ｂと、給送された原稿の表面を一次突き当て整合する働きと、整合後の原稿を引き出し搬送する働きを有したレジスト部Ｃと、搬送される原稿をターンさせて、原稿面を読取り側（下方）に向けて搬送するターン部Ｄと、原稿画像をスリットガラス３６の下方より読取りを行わせる読取り搬送部Ｅと、読取り後の原稿の表裏を反転するためのスイッチバック部Ｆと、このスイッチバック部Ｆにてスイッチバックした原稿を再びＣ部に戻すための中間搬送部Ｇと、を含んでいる。
さらに、表面の画像の読取りを受けた原稿を排紙せずに再びターン部Ｄから読取搬送部Ｅに搬送させて原稿裏面を読取った後で一時原稿を待機させるスイッチバック部Ｈと、スイッチバック部Ｈより原稿を反転し、機外に排出する反転排紙部Ｉ、読取り完了後の原稿を積載保持するスタック部Ｊ、これら搬送動作の駆動を行う駆動部３７、３８、４０〜４３、さらに、一連の動作を制御するコントローラ部３９と、を備えている。
読取りを行う原稿束１をセットするのは、可動原稿テーブル３を含む原稿テーブル２上で、原稿面を上向きの状態でセットする。さらに原稿束１の巾方向を図示しないサイドガイドによって搬送方向と直交する方向へ位置決めする。
原稿がセットされたことは、セットフィラー４、セットセンサ５により検知されＩ／Ｆにより本体制御部４９に送信される。さらに原稿テーブル２面に設けられた原稿長さ検知センサＳ（反射型センサまたは、原稿１枚にても検知可能なアクチェータ・タイプのセンサが用いられる）により原稿の搬送方向長さの概略が判定される（少なくとも同一原稿サイズの縦か横かを判断可能なセンサ配置が必要）。
可動原稿テーブル３は図示しない底板上昇モータ３５により図１に示すａ、ｂ方向に上下動可能な構成になっていて、原稿がセットされたことをセットフィラー４及びセットセンサ５により検知すると底板上昇モータ３５を正転させて原稿束の最上面がピックアップローラ７と接触するように可動原稿テーブル３を上昇させる。
【０００９】
ピックアップローラ７は、ピックアップモータ３８によりカム機構で図に示すｃ、ｄ方向に動作するとともに、可動テーブル３が上昇し可動テーブル３上の原稿上面により押されてｃ方向に上がり、テーブル上昇検知センサ８により上限を検知可能となっている。
本体操作部５０よりプリントキー（図示せず）が押下され、本体制御部４９からＩ／Ｆを介してＡＤＦコントローラ３９に原稿給紙信号が送信されると、ピックアップローラ７は図２に示す給紙モータ４０の正転によりコロが回転駆動し、原稿テーブル２上の数枚（理想的には１枚）の原稿をピックアップする。
回転方向は最上位の原稿を給紙口に搬送する方向である。給紙ベルト９は給紙モータ４０の正転により給紙方向に駆動され、リバースローラ１０は給紙モータ４０の正転により給紙と逆方向に回転駆動され最上位の原稿とその下の原稿を分離して、最上位の原稿のみを給紙できる構成となっている。
さらに詳しく説明すると、リバースローラ１０は給紙ベルト９と所定圧で接し、給紙ベルト９と直接接しているとき、または原稿１枚を介して接している状態では給紙ベルト９の回転につられて反時計方向につれ回りし、原稿が、万が一２枚以上給紙ベルト９とリバースローラ１０の間に侵入した時は連れ回り力がトルクリミッタのトルクよりも低くなるように設定されている。
リバースローラ１０は本来の駆動方向である時計方向に回転し、余分な原稿を押し戻す働きをし、重送が防止される。給紙ベルト９とリバースローラ１０との作用により１枚に分離された原稿は給紙ベルト９によってさらに送られ、突き当てセンサ１１によって先端が検知される。
さらに進んで停止しているプルアウトローラ１２に突き当たる。その後前出の突き当てセンサ１１の検知から所定量定められた距離送られ、結果的には、プルアウトローラ１２に所定量撓みを持って押し当てられた状態で給紙モータ１０２を停止させることにより給紙ベルト９の駆動が停止する。
このとき、ピックアップモータ３８を回転させることでピックアップローラ１２を原稿上面から退避させ原稿を給紙ベルト９の搬送力のみで送ることにより、原稿先端はプルアウトローラ１２の上下ローラ対のニップに進入し、先端の整合（スキュー補正）が行われる。
【００１０】
プルアウトローラ１２は、前記スキュー補正機能を有するとともに、分離後にスキュー補正された原稿をターンローラ１４まで搬送するためのローラで、給紙モータ４０の逆転により駆動される。
また、このとき（給紙モータ４０逆転時）、プルアウトローラ１２とターンローラ１４は駆動されるが、ピックアップローラ７と給紙ベルト９は駆動されていない。
原稿幅センサ１３は奥行き方向に複数個並べられ、プルアウトローラ１２により搬送された原稿の搬送方向に直交する幅方向のサイズを検知する。
原稿の搬送方向の長さは、通過する原稿の先端と後端を突き当てセンサ１１で読み取ることによりモータパルスから制御部が判定する。プルアウトローラ１２及びターンローラ１４の駆動により、レジスト部Ｃからターン部Ｄに原稿が搬送されるさいには、レジスト部Ｃでの搬送速度を読取り搬送部Ｅでの搬送速度よりも高速に設定して原稿を読取り部へ送り込む処理時間の短縮が図られている。
原稿先端が読取入口センサ１５により検出されると、読取り入口ローラ（搬送ローラ対）１６の上下ローラ対のニップに原稿先端が進入前に原稿搬送速度を読取り搬送速度と同速にするために減速を開始すると同時に、読取りモータ４１を正転駆動して読取り入口ローラ１６、読取りローラ１９、読取り出口ローラ２１を駆動する。読取りモータ４１は、後述する伝達制御部材としてのクラッチによって出力される駆動力の伝達をオンオフされる。
原稿の先端をレジストセンサ１７にて検知すると、読取りモータ４１のパルスカウントにより検出された原稿先端が読取り部４８に到達するタイミングで、本体制御部４９に対して画像面の副走査方向有効画像領域を示すゲート信号が読取り部４８を原稿後端が抜けるまで送信される。
片面原稿読取りの場合には、下反転切り換え爪２３、両面切り換え爪３０は実線で示す位置にあり、読取り搬送部Ｅを通過した原稿は排紙部Ｊへ搬送される。このさい、排紙センサ２２により原稿の先端を検知すると、排紙モータ４２を正転駆動して排紙ローラ２８を反時計方向（排紙方向）に回転させる。
また、排紙センサ２２による原稿の後端検知からの排紙モータ４２のパルスカウントにより、原稿後端が排紙ローラ２８の上下ローラ対のニップから抜ける直前に排紙モータ４２の駆動速度を減速させて、排紙トレイ２９上に排出される原稿が飛び出さないように制御する。
【００１１】
ここで、片面原稿読取り時における次原稿の先出し動作について説明する。先行原稿の後端の通過を突当てセンサ１１が検知すると、給紙モータ４０のパルスカウントにより原稿後端がプルアウトローラ１２を抜けたタイミングで給紙モータ４０を一旦停止し再び正転方向に回転駆動する。この動作により次原稿の給紙動作が開始される。
このとき、ターンローラ１４への駆動力伝達は停止しているが、ターンローラ１４の軸と同軸状に一体化されたタイミングプーリ６３にはワンウエイクラッチが内蔵されているため、ターンローラ１４は連回りするようになっている。給紙された次原稿はプルアウトローラ１２に突き当てられた状態で待機している。
先行する原稿がある位置（読取り入口センサ１５を原稿後端が抜けてからのパルスカウントにより判定される読取り入口ローラ１６近傍位置）に到達すると、給紙モ−タ４０を逆転駆動することにより次原稿がプルアウトローラ１２から搬送される。
次に、両面原稿の読取りの場合について説明する。原稿の第１面（表面）の読取り迄は前記と同じであるが、先出し動作については第１面の読取り動作中は行わず、次原稿は原稿テーブル２上にある。
原稿の先端がレジストセンサ１７を通過すると両面切り換え爪３０は両面切り換え爪ＳＯＬ４６（図２）がオンすることによりｉ→ｊ方向に移動する。原稿の第１面が読取り搬送部Ｅの読取り部４８により読み取られ、下反転切り換え爪２３から排紙ローラ２８、両面切り換え爪３０の上部を通り上スイッチバック反転部Ｆに導かれる（図５）。
原稿の先端が排紙センサ２２を通過するタイミングで排紙モータ４２を正転駆動し、排紙ローラ２８を反時計方向に回転させるのと同時に、上反転モータ３７を正転駆動することにより上反転ローラ３１も反時計方向に回転させる。
排紙センサ２２が原稿の後端を検知すると、排紙モータ４２、上反転モータ３７は読取り搬送速度よりも速くなるように増速され、読取りモータ４１は停止する。
また、排紙センサ２２が原稿後端を検知した後、排紙モータ４２のパルスカウントにより原稿後端が排紙ローラ２８を抜けるタイミングで両面切り換え爪３０は両面切り換え爪ＳＯＬ４６をオフすることにより（図１）ｊ→ｉ方向に復帰する。
【００１２】
次に、上反転センサ３２が原稿後端を検知すると、上反転モータ３７を正転駆動から逆転駆動に切り換えることにより上反転ローラ３１は反時計方向から時計方向に回転方向が変わることにより原稿のスイッチバック動作が開始される（図６）。
このタイミングで給紙モータ４０を逆転駆動することにより中継ローラ３３、プルアウトローラ１２、ターンローラ１４は送り方向に回転する。原稿は中間搬送部Ｇを経て再びレジスト部Ｃ、ターン部Ｄへ送り込まれる。
読取り入口センサ１５が原稿の先端を検知すると、給紙モータ４０のパルスカウントにより所定の撓みを持って停止している読取り入口ローラ１６に突き当てられ給紙モータ４０は一旦停止する。これにより原稿第２面読取り時の先端の整合（スキュー補正）が行われる（図７）。
再び給紙モータ４０を逆転駆動し、読取りモータ４１を正転駆動することにより、原稿は読取り搬送部Ｅに送り込まれ、レジストセンサ１７が原稿の先端を検知すると下反転切り換え爪２３は下反転切り換え爪ＳＯＬ４４をオンすることにより（図１）のｅ→ｆ方向に移動する。
次に読取り部４８（固定したスキャナ）により原稿の第２面の読取りが開始され、排紙センサ２２が原稿の先端を検知すると下反転モータ４３を正転駆動する。これにより下反転ローラ２５は反時計方向に回転し、原稿は下反転切り換え爪２３の下部を通過してスイッチバック部Ｈに導かれる（図８）。
第２面の読取りが完了した原稿の後端を排紙センサ２２が検知すると、下反転モータ４３のパルスカウントにより下反転切り換え爪ＳＯＬ４４をオフすることにより（図１）下反転切り換え爪２３をｆ→ｅに復帰させる。これとともに下反転モータ４３を停止させることにより原稿の後端は下反転ローラ２５に保持され待機状態となる（図８）。
【００１３】
ここで両面読取り時の先出し動作について説明する。第１面の読取りを完了した原稿がスイッチバックＦから中間搬送部Ｇに搬送されるとき、上反転センサ３２が先行原稿後端を検知する。すると給紙モータ４０のパルスカウントにより原稿後端がプルアウトローラ１２を抜けたタイミングで給紙モータ４０の回転方向を逆転駆動から正転方向に切り換えることにより次原稿の給紙が開始される。
これ以降は片面読取り時の場合と同じタイミング（紙間）にて動作する。次原稿はレジスト部Ｃのプルアウトローラ１２で先端の整合が行われ（図８）、ターン部Ｄより読取り搬送部Ｅに送り込まれる。
レジストセンサ１７が次原稿の先端を検知すると、両面切り換え爪３０は（図１）のｉ→ｊに移動し、読取り部４８で第１面を読み取られながら読取り出口ローラ２１、反転下切り換え爪２３の上部を通り、排紙ローラ２８、両面切り換え爪３０の上部を経てスイッチバック部Ｆに搬送され、両面切り換え爪３０はｊ→ｉに復帰する（図９、図１０）。
次原稿はこの後前記と同様の工程にて第２面の読取りを受ける。このように動作させることにより第１及び２面の読取りが完了しスイッチバック部Ｈにて待機状態にある原稿を次原稿が追い抜く形となる。
【００１４】
上記の両面切り換え爪３０がｊ→ｉに復帰するタイミングで下反転切り換え爪ＳＯＬ４５をオンすることにより下反転切り換え爪２４をｇ→ｈに移動させる。また、下反転モータ４３を逆転方向に駆動することにより下反転ローラ２５、補助ローラ２７は時計方向に回転し原稿を反転排紙部Ｉよりスタック部Ｊに搬送する。
下反転モータ４３のパルスカウントにより原稿先端が排紙ローラ２８にくわえられたタイミングで下反転切り換え爪ＳＯＬ４５をオフすることにより下反転排紙切り換え爪２４をｈ→ｇに復帰させる。
補助ローラ２７は原稿の内ガイド板への巻き付きによる負荷を軽減するために設置されている。次に下反転センサ２６により原稿後端を検知すると、片面排紙時と同様に排紙モータ４２のパルスカウントにより、原稿後端が排紙ローラ２８の上下ローラ対のニップから抜ける直前に排紙モータ４２駆動速度を減速させて、排紙トレイ２９上に排出される原稿が飛び出さないように制御される（図１１）。以上の動作を所定の原稿枚数だけ繰り返すことにより作業は完了する。
図１２は本発明によるＡＤＦの駆動系を説明する概略斜視図である。図１３は本発明によるＡＤＦにおける駆動タイミングを説明するタイミングチャートである。
図１４は次原稿の搬送開始タイミングを、読取り入口ローラ、レジストセンサ及び読取り位置の関係とともに示す、先行原稿の読取り位置通過（ゲートオフ）時としたタイミングチャートである。
【００１５】
本実施形態の一つの特徴は、シート原稿を読取り部４８（読取り位置）に沿って搬送させながら画像を読み取る方式のＡＤＦであって、読取り部４８の直前に配置された搬送ローラ対１６と、搬送ローラ対を駆動する読取りモータ４１と、制御部４９と、原稿を搬送ローラ対１６に向けて搬送する給紙手段１２、１４を駆動する給紙モータ４０と、を備えたものにおいて、読取りモータ４１から搬送ローラ対１６に対する駆動力の伝達をオンオフ制御可能な伝達制御部材４７を設け、制御部４９は、読取り部にて読取り中の先行原稿の後端が搬送ローラ対を通過した時点で伝達制御部材４７をオフして搬送ローラ対１６を停止させ、次いで給紙モータ４０を駆動して停止状態にある搬送ローラ対に次原稿先端を突き当てこの次原稿のスキュー補正を行うようにした構成にある。  
即ち、図１４において、タイミングＡでは、先行原稿Ｄ１がレジストセンサ１７を抜けたタイミングで、クラッチ４７をオフして読取りモータ４１からの駆動力の伝達をオフすることにより読取り入口ローラ１６への駆動伝達を禁止する。読取り入口ローラ１６の回転停止と同時（或いは停止後）に、給紙モータ４０を反時計方向へ駆動して次原稿Ｄ２を突き当て停止のタイミングで搬入する。先行原稿Ｄ１に対する読取りはそのまま続行する。
タイミングＢでは、先行原稿Ｄ１の後端部が読取り位置を抜けたら、クラッチ（伝達制御部材）４７をオンして読取りモータ４１の駆動力を伝達することにより読取り入口ローラ１６の駆動伝達を再開する。所定のレジスト停止位置まで次原稿Ｄ２を搬送し、レジスト停止する。紙間はタイミングＡの条件と同等とする。タイミングＣでは、読取り開始信号にて読取りを開始する。
図１５は次原稿の搬送開始タイミングを、読取り入口ローラ、レジストセンサ及び読取り位置の関係とともに示す、次原稿の突き当て・整合による給紙モータの停止を確認後としたタイミングチャートである。
図１５において、タイミングＡでは、先行原稿Ｄ１の後端がレジストセンサ１７を抜けたら、クラッチ４７をオフして読取りモータ４１から読取り入口ローラ１６への駆動伝達を禁止する。読取り入口ローラ１６の回転停止と同時に（或いは停止直後に）、給紙モータ４０を駆動して次原稿Ｄ２を突き当て停止のタイミングで搬入する。先行原稿Ｄ１はそのまま読取りを続行する。
タイミングＢでは、突き当て動作が完了後、即座にクラッチをオンして読取りモータ４１から読取り入口ローラ１６への駆動伝達を再開する。読取り位置を通過した先行原稿Ｄ１の後端と、所定のレジスト停止位置との間が最小の紙間となるように制御する。タイミングＣでは、読取り開始信号にて読取りを開始する。
【００１６】
図１６は読取り入口ローラに駆動の伝達を制御するための電磁クラッチが備えられた構成を示す概略斜視図である。
図１２及び図１３において、図１２のように読取り入口ローラ１６を分離・プルアウト駆動系に盛り込み、読取り駆動系とは別駆動にする。まず、ＡＤＦの給紙駆動系を説明する。
まず、ＡＤＦの駆動系を説明する。実線矢印で示す分離時、給紙モータ４０が回転すると、この駆動はプーリ５１→プーリ５２→ギヤ５５→ギヤ５６に伝わる。ギヤ５６→ギヤ５７に伝わった駆動は給紙ベルト９を回転させ、さらにギヤ５８→ギヤ５９→ギヤ／プーリ６０→プーリ６１に伝わった駆動がピックアップローラ７を回転させる。
また、ギヤ５６→ギヤ６４に伝わった駆動がリバースコロ１０を回転させる。このとき、ギヤ５５と同軸のギヤ／プーリ５３及びギヤ６４と同軸のギヤ５４に対してはワンウエイクラッチの働きで駆動は伝わらない。
また、破線矢印で示す給紙時、給紙モータ４０が回転すると、この駆動はプーリ５１→プーリ５２→ギヤ／プーリ５３に伝わる。ギヤ／プーリ５３→ギヤ５４に伝わった駆動はリバースコロ１０を回転させる。
また、ギヤ／プーリ５３→プーリ６２→プーリ６３、プーリ６２→プーリ６５→プーリ６６に伝わった駆動がプルアウトローラ１２、ターンローラ１４及び中継ローラ３３を回転させる。このとき、ギヤ／プーリ５３と同軸のギヤ５５及びギヤ５４に対してはワンウエイクラッチの働きで駆動は伝わらない。
【００１７】
本発明の第１の実施の形態を図１、図２、図１３及び図１６を参照して説明する。本発明では図１６のように読取り入口ローラ１６への駆動力の伝達を制御するための電磁クラッチ４７が備えられた構成となっており、コントローラ３９からそのオン／オフが制御できるように接続されている。電磁クラッチ４７はオフ状態（非通電状態）で伝達が切れ、読取り入口ローラ１６に駆動が伝達されなくなる構成である。
図１３に基づきそのタイミングを説明する。原稿テーブル上にセットされた原稿束を１枚に分離しプルアウトローラ１２に先端を突き当て整合するためにいったん給紙モータを停止させる。
突き当てスキュー補正された原稿を給紙モータ逆転により、分離駆動のみ停止させた状態でプルアウトローラ１２にて読取り部へと搬送させる。１枚目は先行の原稿が存在しないため読取りモータを駆動させる必要はないのであるが、２枚目以降の原稿と同一の制御とするため読取り入口ローラ１６近辺まで搬送された時点で読取り速度にて駆動させる。
また１枚目給紙時にはレジストセンサ１７のオフエッジ検出が無いため、クラッチ４７はオフ状態のままであり、読取りモータ４１が駆動していても読取り入口ローラ１６は非回転となり、読取りローラ１９、読取り出口ローラ２１はそれぞれ同速で回転する。
プルアウトローラ１２からの搬送距離に基づいて停止状態にある読取り入口ローラ１６への突き当て搬送量を制御し、原稿の先端を読取り入口ローラ１６に当接させた状態でいったん停止・先端整合させ、先端整合の完了とともにクラッチ４７を接続状態とすることにより読取り入口ローラ１６に駆動が伝達され回転・搬送を開始することとなる。
クラッチ４７の伝達開始（オン）とともにプルアウトローラ１２をアシスト駆動させ、原稿スリップによる負荷の低減を行う。読取り入口ローラ１６から所定量搬送した後、レジスト停止信号を本体制御部４９（図２）へと送信通知する。ここから１枚目の読取りが開始され読取り実行中に次原稿の分離駆動を行い、先行原稿の後端の搬送量を監視し、次原稿を読取り部へ向けて搬送開始させる。
読取り中の原稿後端をレジストセンサ１７で検出できたら読取り入口ローラ１６を抜けたこととなるため、コントローラ３９はクラッチ４７をオフ状態に変更し読取入口ローラ１６を非回転状態にする。
読取り入口ローラ１６が回転停止したタイミングで次原稿が突き当て停止するように次原稿が搬送されてくると最も効率（生産性）が高くなる。給紙モータ４０の駆動停止により読取り入口ローラ１６に対する原稿先端の突き当てが完了したら、クラッチ４７を接続状態とすることにより読取り入口ローラ１６は駆動が伝達され回転・搬送を開始することとなる。
【００１８】
図１７は読取り搬送駆動系を説明する概略斜視図である。図１８は下反転部駆動系を説明する概略斜視図である。図１９は排紙駆動系を説明する概略斜視図である。図２０は上反転部駆動系を説明する概略斜視図である。
図１７において、読取りモータ４１が回転すると、プーリ６７→プーリ６８に伝わる。プーリ６８からプーリ６９、プーリ７０に伝わった駆動がそれぞれ読取り出口ローラ２１、読取り入口ローラ１６を回転させ、さらに、プーリ６９→プーリ７８に伝わった駆動が読取りローラ１９を回転させる。
図１８において、下反転モータ４３が回転すると、プーリ７３→プーリ７４→プーリ７５に伝わり、下反転ローラ２５、補助ローラ２７を回転させる。図１９において、排紙モータ４２が回転すると、プーリ７１→プーリ７２に伝わり、排紙ローラ２８を回転させる。
図２０において、上反転モータ３７が回転すると、プーリ７６→プーリ７７に伝わり、上反転ローラ３１を回転させる。
本発明では図１４のように次原稿の搬送開始タイミングを、先行原稿の読取り位置通過（ゲートオフ）時とし、クラッチ４７の再接続により先端を突き当て・整合された次原稿を搬送状態にし、所定のレジスト停止位置に原稿を停止させる。
また、本発明の他の実施形態では図１５のように次原稿の搬送開始タイミングを、次原稿の突き当て・整合による給紙モータ４０の停止を確認後、即座にクラッチ４７の再接続により先端を突き当て・整合された次原稿を搬送状態にし、所定のレジスト停止位置に原稿を停止させる。
【００１９】
さらに、本発明を図１及び図１３に基づいて説明すると、先行する読取り原稿後端をレジストセンサ１７で検知した時点からコントローラ３９は読取りモータ４１の印加パルスカウントを開始し、所定の搬送量だけ搬送したことを確認後、クラッチ４７を接続状態とすることにより、先行原稿と次原稿先端との原稿間隔を調整するようにする。クラッチ４７の論理が逆に構成されたデバイスを設定することもできる。
本発明のＡＤＦにおいては、読取り位置の上流近傍にある駆動ローラに具備されたクラッチ４７などの駆動伝達制御部材の制御において、先行する読取り中原稿の後端が読取り位置の上流近傍にあるローラ１６を抜けた時点で伝達を禁止する。
それによってローラ１６の回転が停止し、回転停止したタイミングにて次原稿先端を停止したローラ１６へ突き当て・先端整合させることで、次原稿のスキューを補正する。
また、駆動伝達を許可することによる振動が読取り中の原稿に影響して画像のブレが出るのを防止するために、先行原稿の読取り通過を待って駆動伝達を行うように制御する。
先行原稿の読取り位置通過及び停止を待って次原稿先端を突き当て停止するよりは原稿間隔距離を詰める（短縮する）ことができ、高生産性と画像品質の両者を満足したＡＤＦを提供することができる。
【００２０】
本発明のＡＤＦにおいては、読取り位置の上流近傍にある駆動ローラに具備されたクラッチなどの駆動伝達制御部材の制御において、先行する読取り中の原稿の後端が読取り位置の上流近傍にあるローラ１６を抜けた時点で伝達を禁止することでローラ１６の回転が停止し、回転停止したタイミングにて次原稿先端が停止したローラ１６へ突き当て・先端整合させることで、次原稿のスキューを補正する。
また、駆動伝達を許可することによる振動が読取り中の原稿にさほど影響を与えないような駆動方式の構成であれば、最も原稿間隔を詰めることが可能となる。高生産性と画像品質の両者を満足したＡＤＦを提供することが可能となる。
本発明のＡＤＦにおいては、読取り位置の上流近傍にある駆動ローラに具備されたクラッチなどの駆動伝達制御部材の制御において、先行する読取り中の原稿の後端が読取り位置の上流近傍にあるローラ１６を抜けた時点で伝達を禁止することでローラ１６の回転が停止し、回転停止したタイミングにて次原稿先端を停止したローラ１６へ突き当て・先端整合させることで、次原稿のスキューを補正する。
先行原稿の搬送量をレジストセンサからの搬送量パルスを計測することにより、先行原稿後端位置が把握でき、その進み量に応じて次原稿の搬送開始タイミングを制御する。これによってより細かな紙間制御が可能となり異なった本体に搭載された場合にもその仕様に合わせた調整が可能となる、高生産性と画像品質の両者を満足したＡＤＦを提供することができる。
本発明によるＡＤＦにおいては、電磁クラッチに対する通電状態の場合のみ非接続状態となり、駆動伝達が伝わらないようなデバイスを選定することにより、読取り入口ローラを停止させたい場合だけ電磁クラッチに対して通電することができる。これによって、消費電力の削減及び温度上昇などによる放熱を考慮する必要無しに設計が可能となり、より高品質なＡＤＦを提供することが可能である。
【図面の簡単な説明】
【００２１】
【図１】本発明のＡＤＦの基本的な構成を示す概略断面図。
【図２】本発明のＡＤＦの電装ブロック図。
【図３】ＡＤＦ内で給送された両面原稿時の２枚の原稿の第１の位置を説明する概略図。
【図４】ＡＤＦ内で給送された２枚の原稿の第２の位置を説明する概略図。
【図５】ＡＤＦ内で給送された２枚の原稿の第３の位置を説明する概略図。
【図６】ＡＤＦ内で給送された２枚の原稿の第４の位置を説明する概略図。
【図７】ＡＤＦ内で給送された２枚の原稿の第５の位置を説明する概略図。
【図８】ＡＤＦ内で給送された２枚の原稿の第６の位置を説明する概略図。
【図９】ＡＤＦ内で給送された２枚の原稿の第７の位置を説明する概略図。
【図１０】ＡＤＦ内で給送された２枚の原稿の第８の位置を説明する概略図。
【図１１】ＡＤＦ内で給送された２枚の原稿の第９の位置を説明する概略図。
【図１２】本発明によるＡＤＦの給紙駆動系を説明する概略斜視図。
【図１３】本発明によるＡＤＦにおける駆動タイミングを説明するタイミングチャート。
【図１４】次原稿の搬送開始タイミングを、先行原稿の読取り位置通過（ゲートオフ）時としたタイミングチャート。
【図１５】次原稿の搬送開始タイミングを、次原稿の突き当て・整合による給紙モータの停止を確認後としたタイミングチャート。
【図１６】読取り入口ローラに駆動の伝達を制御するための電磁クラッチが備えられた構成を示す概略斜視図。
【図１７】読取り搬送駆動系を説明する概略斜視図。
【図１８】下反転部駆動系を説明する概略斜視図。
【図１９】排紙駆動系を説明する概略斜視図。
【図２０】上反転部駆動系を説明する概略斜視図。
【符号の説明】
【００２２】
Ａ  原稿セット部、Ｂ  分離部、Ｅ  読取り搬送部、７  ピックアップローラ、９  給紙ベルト（分離機構）、１２  プルアウトローラ、１６  搬送ローラ対（読取り入口ローラ）、２１  読取り出口ローラ、４０  給紙モータ、４１  読取りモータ、４７  駆動伝達を制御可能な伝達制御部材（クラッチ）、４８  読取り部
【図１】
2006188339.tif 000003
【図２】
2006188339.tif 000004
【図３】
2006188339.tif 000005
【図４】
2006188339.tif 000006
【図５】
2006188339.tif 000007
【図６】
2006188339.tif 000008
【図７】
2006188339.tif 000009
【図８】
2006188339.tif 000010
【図９】
2006188339.tif 000011
【図１０】
2006188339.tif 000012
【図１１】
2006188339.tif 000013
【図１２】
2006188339.tif 000014
【図１３】
2006188339.tif 000015
【図１４】
2006188339.tif 000016
【図１５】
2006188339.tif 000017
【図１６】
2006188339.tif 000018
【図１７】
2006188339.tif 000019
【図１８】
2006188339.tif 000020
【図１９】
2006188339.tif 000021
【図２０】
2006188339.tif 000022